(57)【要約】【課題】  ネットワークスキャンを行う場合は、複合機等の画像処理装置とＰＣ間を何度も往復することなく、適正な画像処理条件を選択し得る画像処理装置を提供する。【解決手段】  スキャン開始入力があると（ステップＳＴ１２）、複数の画像処理条件が設定されているか否か判定し（ステップＳＴ１３）、複数の画像処理条件が設定されていると、画像処理条件テーブル５ａに設定記憶されている複数の処理項目（例：解像度、コントラスト補正、圧縮率、カラー／モノクロ識別）の異なる組み合わせである複数の画像処理条件（例：Ｎｏ１、Ｎｏ２、Ｎｏ３）を順次読み出して、各画像処理条件毎に画像読み取り及び画像処理を施し、転送用画像データを生成し、記憶する（ステップＳＴ１５〜ＳＴ１７）。各画像処理条件で生成した画像データをＰＣに転送する（ステップＳＴ２２）。【選択図】      図４
2005142987.tif 000002
【特許請求の範囲】
【請求項１】
ネットワークスキャン可能な画像処理装置であって、
異なる複数の画像処理条件を一括指定する処理条件指定手段と、
一括指定して読取開始指示が入力されると、同一原稿に対して１回又は複数回の画像読み取りを自動的に実行し、画像処理条件毎に転送用画像データを生成する制御手段と、
を備えたことを特徴とする画像処理装置。
【請求項２】
前記生成した複数の転送用画像データに、それぞれファイル名を付与するファイル名付与手段を備え、このファイル名付与手段は、各ファイル名が同一原稿を読み取って得たものであることを認識できるファイル名を付与するものであることを特徴とする請求項１記載の画像処理装置。
【請求項３】
前記異なる複数の画像処理条件を同一グループとして登録する処理条件登録手段を備え、
グループ指定により、同一グループとして登録された異なる複数の画像処理条件を一括指定できるようにしたことを特徴とする請求項１又は請求項２記載の画像処理装置。
【請求項４】
前記制御手段は、指定された複数の画像処理条件が、１回の画像読み取りにより全ての画像処理条件に対応する転送用画像データを生成することができるか、あるいは、全ての画像処理条件に対応する転送用画像データを生成するためには、複数回の画像読み取りが必要になるかを判定し、１回の画像読み取りにより全ての画像処理条件に対応する転送用画像データを生成することができると判定された場合に、１回の画像読み取りで得た読取画像データに対して、指定された複数の画像処理条件に対応する画像処理を施して複数の転送用画像データを生成し、全ての画像処理条件に対応する転送用画像データを生成するためには、複数回の画像読み取りが必要になると判定された場合に、複数回の画像読み取りで得た複数の読取画像データに対して、指定された複数の画像処理条件に対応する画像処理をそれぞれ施して複数の転送用画像データを生成するようにしたことを特徴とする請求項１、請求項２又は請求項３記載の画像処理装置。
【発明の詳細な説明】
【技術分野】
【０００１】
この発明は、複写機能・ＦＡＸ機能・スキャナ機能等を有する複合機等の画像処理装置に関する。
【背景技術】
【０００２】
一般に複合機には、原稿をスキャンして得た画像データをネットワークを介してＰＣ等の外部処理装置に送信し、記憶するネットワークスキャン機能を備えている。この種の複合機において、ある画像処理条件でネットワークスキャンを行う際、得られた画像がどのような画質になるか、あるいはどれくらいのデータサイズ（ファイルサイズ）になるかは、ＰＣがある場所まで戻り、ＰＣのディスプレイを使って確認している。
【０００３】
ところで、複数枚の原稿画像に対して、画像処理を行う方法として、複数枚の原稿を連続的に読み取って記憶した後、その複数枚の画像データに対して画像処理を行う第１モードと、１枚の原稿を読み取る毎に画像処理を行う（１枚ずつ読み取りと画像処理とを行う）第２モードを持つ技術が開示されている（例えば、特許文献１参照）。
【特許文献１】特開平８−３１７１９９号公報
【発明の開示】
【発明が解決しようとする課題】
【０００４】
従来の複合機では、ある画像処理条件でネットワークスキャンしたとき得られた画像がどのような画質であるか等を確認するのに、ＰＣのディスプレイを使用しているが、ＰＣの場所でディスプレイを見て、画像を確認した結果、所望の画像が得られないと、複合機の場所に戻り、画像処理条件を変更して、再度ネットワークスキャンを行う必要がある。なかなか所望の画像データが得られない場合には、ユーザが複合機とＰＣとの間を何度も往復する必要があり、不便であった。
【０００５】
上記特許文献１に記載の技術を採用してもこの不便さは解決することができない。
【０００６】
この発明は上記問題点に着目してなされたものであって、ネットワークスキャンを行う場合、複合機等の画像処理装置とＰＣ間を何度も往復することなく、適正な画像処理条件を選択し得る画像処理装置を提供することを目的としている。
【課題を解決するための手段】
【０００７】
この発明の画像処理装置は、ネットワークスキャン可能な画像処理装置であって、異なる複数の画像処理条件を一括指定する処理条件指定手段と、一括指定して読取開始指示が入力されると、同一原稿に対して１回又は複数回の画像読み取りを自動的に実行し、画像処理条件毎に転送用画像データを生成する制御手段と、を備えている。
【０００８】
この発明の画像処理装置において、前記生成した複数の転送用画像データに、それぞれファイル名を付与するファイル名付与手段を備え、このファイル名付与手段は、各ファイル名が同一原稿を読み取って得たものであることを認識できるファイル名を付与するものとできる。
【０００９】
また、この発明の画像処理装置において、前記異なる複数の画像処理条件を同一グループとして登録する処理条件登録手段を備え、グループ指定により、同一グループとして登録された異なる複数の画像処理条件を一括指定できるようにしても良い。
【００１０】
また、この発明の画像処理装置において、前記制御手段は、指定された複数の画像処理条件が、１回の画像読み取りにより全ての画像処理条件に対応する転送用画像データを生成することができるか、あるいは、全ての画像処理条件に対応する転送用画像データを生成するためには、複数回の画像読み取りが必要になるかを判定し、１回の画像読み取りにより全ての画像処理条件に対応する転送用画像データを生成することができると判定された場合に、１回の画像読み取りで得た読取画像データに対して、指定された複数の画像処理条件に対応する画像処理を施して複数の転送用画像データを生成し、全ての画像処理条件に対応する転送用画像データを生成するためには、複数回の画像読み取りが必要になると判定された場合に、複数回の画像読み取りで得た複数の読取画像データに対して、指定された複数の画像処理条件に対応する画像処理をそれぞれ施して複数の転送用画像データを生成するようにしても良い。
【発明の効果】
【００１１】
この発明によれば、１回の読取開始指示による一連の動作により、同一原稿に対して、画像処理条件毎に異なる複数の転送用画像データを生成して記憶できるので、ＰＣ側で複数の画像データから必要なものを選択できる。
【００１２】
また、この発明によれば、生成した複数の転送用画像データにファイル名を付与し、各ファイル名が同一原稿を読み取って得たものであることを認識できるようにしておくことにより、ファイル名を見ただけで、同一原稿の読取画像データであることがわかる。
【００１３】
また、この発明によれば、異なる画像処理条件を同一グループとして登録しておき、グループを指定できるようにすることにより、グループを指定するだけで異なる画像処理条件を簡単に一括指定できる。
【発明を実施するための最良の形態】
【００１４】
以下、実施の形態により、この発明をさらに詳細に説明する。図１は、この発明の実施形態であるカラー画像処理装置全体の概略構成を示すブロック図である。
【００１５】
この実施形態カラー画像処理装置は、ファクシミリ機能とコピー機能とを備えた、しかも画像としてモノクロの他、カラーも扱えるカラー複合機として構成したものである。このカラー複合機は、ＭＰＵ１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、ＤＲＡＭ（画像メモリ）６と、画像読取部７と、読取／通信用ＣＯＤＥＣ８と、表示部９と、操作部１０と、プリンタ用１１と、画像処理回路１２と、ページメモリ１３と、プリンタ１４と、ＬＡＮＩ／Ｆ１５と、バス１６とを備えている。
【００１６】
ＭＰＵ１は、この装置を構成する各部を制御する。この制御には、原稿画像読取処理、読取画像・受信画像のプリント処理等の制御の他、モノクロ画像、又はカラー画像を相手機に送信し、あるいは相手機から受信する場合の制御が含まれる。ＮＣＵ２は、通信回線である電話回線網（ＰＳＴＮ）１７との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１７】
ＲＯＭ４は、この装置を制御するためのプログラムを記憶する。ＲＡＭ５は、種々の制御処理に必要なデータ等を一時的に記憶する。このＲＡＭ５には、画像処理条件テーブル５ａを備えている。この画像処理条件テーブル５ａは、画像読取部７でスキャンし、スキャンデータを得、画像メモリ６に記憶する場合に使用する異なる複数の画像処理条件を記憶する。その記憶例を図２に示す。この図２の例では複数の、つまり３つの画像処理条件を記憶した場合を示している。画像処理条件Ｎｏ１は第１の画像処理条件として、低解像度、コントラスト補正有、低圧縮率、カラーを記憶している。また、画像処理条件Ｎｏ２は、第２の画像処理条件として、第１の画像処理条件とは異なる処理条件を記憶している。更にまた、画像処理条件Ｎｏ３は、第３の画像処理条件として、第１、第２の画像処理条件とは異なる処理条件を記憶している。ＤＲＡＭ（画像メモリ）６は、モノクロあるいはカラーの受信画像データや画像読取部９で読み取ったモノクロあるいはカラーの読み取り画像データを圧縮状態で記憶する。ＤＲＡＭ６にはテーブル５ａに記憶されている各条件項目について画像処理を行った後の画像データが記憶される。
【００１８】
画像読取部７は、ＦＡＸ送信するときに、あるいはコピーするときに、原稿を光学的に走査して画像データを読み取り、所定の画像処理を施して出力する。この画像読取部７は、モノクロ読み取りとカラー読み取りとを実行することが可能である。
【００１９】
読取／通信用ＣＯＤＥＣ８は、読み取った画像データを送信又は記憶するためにＭＨ、ＭＲ、ＭＭＲ方式、あるいはＪＰＥＧ方式等により符号化し、あるいは復号化する。
【００２０】
表示部（ＬＣＤ）９は、アイコン、キーボタンの表示や、データの送受信に必要なメッセージ内容等を表示する。操作部１０は、スタートキー、モード切替キー、カセット選択キー、テンキー、登録キー、その他のキーを有する。
【００２１】
プリンタ用ＣＯＤＥＣ１１は、ＤＲＡＭ６から読み出した圧縮画像データを記録するために伸張復号（デコード）する。画像処理回路１２は、画像読取部７から出力されて、ページメモリ１３に記憶された画像データを読み出し、その画像データに対して、所定の画像処理を行う。画像処理回路１２において、画像処理が施された画像データは、ＣＯＤＥＣ８により符号化されてＤＲＡＭ６に記憶される。ページメモリ１３は、画像読取部７から出力された２値又は多値の画像データを所定ページ分記憶する。
【００２２】
プリンタ１４は、電子写真式のプリンタよりなり、受信画像データやコピー動作において、画像読取部９で読み取った原稿の画像データを記録紙上に記録する。このプリンタ１４は、カラープリントも可能である。ＬＡＮＩ／Ｆ１５は、ＰＣ（パーソナルコンピュータ）その他のＬＡＮ１８（ローカルエリアネットワーク）を構成する外部機器と接続され、ここを介して外部機器とのデータ授受を行う。外部ＰＣよりプリントデータのデータ転送を受けると、ＤＲＡＭ６に、あるいはページメモリ１３に記憶する。ＬＡＮＩ／Ｆ１５に加えて、ＵＳＢＩ／Ｆ及び／又はパラレルＩ／Ｆを備えても良い。
【００２３】
次に、この実施形態カラー複合機において、複数の画像処理条件を設定する場合の処理を図３に示すフロー図を参照して説明する。このジョブの処理ルーチンに入ると、ステップＳＴ１において、画像処理条件設定か否か判定する。画像読取部７で原稿を読み取り、その原稿画像を外部のＰＣへ送信する場合の複数の画像処理条件を設定するために、操作部１０の画像処理条件設定キーが操作されていると、ステップＳＴ２へ移行する。
【００２４】
ステップＳＴ２においては、オペレータが入力する複数の画像処理条件を受け付け、画像処理条件テーブル５ａに記憶する。ここで画像処理条件とは、例えば解像度、コントラスト補正の有無、圧縮率、カラー／モノクロの識別の各処理条件項目をそれぞれ所定に設定したものを言う。本実施形態では、１つのジョブに対して複数の画像処理条件を設定可能である。複数の画像処理条件とは、各条件項目のいずれかを異なるものに設定した複数の画像処理条件である。具体的な画像処理条件の１つとしては、例えば図２に示す画像処理条件Ｎｏ１の低解像度、コントラスト補正有、低圧縮率、カラーの場合である。図２においては、３組の画像処理条件が示されている。続いて、ステップＳＴ３へ移行する。
【００２５】
ステップＳＴ３においては、変数ｎを１インクリメントとする。この変数は、画像処理条件の設定個数を示すものであり、初期値はｎ＝０である。それゆえ１つ目の画像処理条件の設定を完了した時点では、このステップＳＴ３においては、ｎ＝１となる。続いて、ステップＳＴ４へ移行する。ステップＳＴ４においては、ｎ≧Ｎか否か判定される。ここでＮは画像処理条件テーブル５ａに記憶し得る処理条件グループの個数である。仮にＮ＝３であると、１つ目の画像処理条件の設定を完了した段階（２つ目の画像処理条件を設定する前の段階）のｎ≧Ｎかの判定はＮＯであり、次に、ステップＳＴ５へ移行する。ステップＳＴ５においては、画像処理条件の設定終了か否か判定する。操作部１０の処理条件設定キーが再度操作される等設定終了指示が入力されると、設定処理を終了する。一方、設定終了指示が入力されていない場合は、ステップＳＴ２へ戻る。画像処理条件を１つ設定した後に、設定終了指示を入力することにより、１つの画像処理条件のみを設定できる。
【００２６】
ステップＳＴ５より戻った再度のステップＳＴ２においては、オペレータが再度入力する次の画像処理条件を受け付け、第２の画像処理条件として、画像処理条件テーブル５ａに記憶する。具体的な第２の画像処理条件の１つとしては、例えば図２に示すＮｏ２の中解像度、コントラスト補正なし、中圧縮率、カラーの場合である。次に、ステップＳＴ３へ移行する。ステップＳＴ３においては、変数ｎを１インクリメントしてｎ＝２となる。続いて、ステップＳＴ４へ移行する。ステップＳＴ４においては、ｎ≧Ｎか否か判定するが、この場合も判定ＮＯであり、上記と同様、判定ＮＯでステップＳＴ５へ移行し、更に設定終了指示の入力がない限り、ステップＳＴ２へ戻る。そして、ステップＳＴ２において、オペレータが入力する第３番目の画像処理条件を受け付け、第３の画像処理条件として、画像処理条件テーブル５ａに記憶する。続いて、ステップＳＴ３へ移行する。
【００２７】
ステップＳＴ３においては、また変数ｎがインクリメントされて、ｎ＝３となる。次に、ステップＳＴ４へ移行する。ステップＳＴ４においては、ｎ≧ＮがＹＥＳとなるので、設定終了指示の入力がなくても、ここで画像処理条件の設定が終了する。ここで、画像処理条件の設定内容は、例えば図２に示すものとなる。なお、この実施形態において、設定し得る画像処理条件数Ｎを３としているが、実用上はＮを大きく設定し、あるいは定数Ｎの制限をなくしても良い。
【００２８】
次に、この実施形態カラー複合機において、所定の設定された画像処理条件でスキャナ処理を行う場合の動作を、図４に示すフロー図を参照して説明する。ジョブ開始で、ステップＳＴ１１において、画像処理条件の設定を行う。この画像処理条件の設定は、オペレータが行う。オペレータは原稿カセット部に原稿をセットした後、ネットワークスキャンジョブの画像処理条件を設定（指定）する。画像処理条件設定後、スキャン開始指示入力までに原稿をセットすることもできる。また、複合機の操作部１０において設定することもでき、あるいはネットワーク接続されたＰＣの操作部において設定することもできる。
【００２９】
また、ここでの設定で複数の画像処理条件を設定することができる（図２の例では３つ）。複数の画像処理条件は、画像読み取り前に設定することができる。複数の画像処理条件は、図３のフロー図のようにして、順次１つずつ設定することができる。
【００３０】
また、複数の画像処理条件を同一グループとして登録しておけば、そのグループを指定することにより、複数の画像処理条件を一括指定することができる。次に、ステップＳＴ１２へ移行する。ステップＳＴ１２においては、オペレータにより、スキャン開始指示が入力されたか否かを判定する。スキャン開始指示は、複合機の操作部１０から入力することもでき、あるいはネットワーク接続されたＰＣの操作部から入力することもできる。スキャン開始指示が入力されると、ステップＳＴ１３へ移行する。
【００３１】
ステップＳＴ１３においては、複数の異なる画像処理条件が設定されたか否かを判定する。複数の異なる画像処理条件が設定されている場合は、ステップＳＴ１４へ移行する。一方、複数の異なる画像処理条件が設定されていない場合は、ステップＳＴ２０へ移行する。ステップＳＴ１４においては、１回の読み取りのみで、複数の異なる画像処理条件に対応する複数の転送用画像データを生成することが可能か否か判定する。言い換えると、複数の異なる画像処理条件に対応する複数の転送用画像データを生成するためには、複数回の読み取りが必要か否かを判定する。１回の読み取りで、複数の異なる画像処理条件に対応する複数の転送用画像データを生成することが可能の場合は、ステップＳＴ１８へ移行する。一方、１回の読み取りで可能でない場合は、ステップＳＴ１５へ移行する。
【００３２】
ステップＳＴ１５においては、ｍ番目の画像処理条件にて、画像読み取りを実行し、画像処理を施して、ｍ番目の画像データを生成し、記憶する。画像処理は、画像読取部７及び／又は画像処理回路１２において実行する。生成した転送用画像データは画像処理条件を属性データとしてＤＲＡＭ６にファイルとして記憶する。属性データ（画像処理条件）は、複合機及び／又はＰＣの表示部で表示可能である。次に、ステップＳＴ１６へ移行する。
【００３３】
ステップＳＴ１６においては、更なる画像読み取りが必要か否かを判定する。設定された全ての画像処理条件に対応する転送用画像データの生成が完了していない場合、ステップＳＴ１７へ移行する。一方、更なる画像読み取りが不要な場合は、ステップＳＴ２２へ移行する。
【００３４】
ステップＳＴ１７においては、変数ｍを１インクリメントして、再度、ステップＳＴ１５へ戻る。
【００３５】
ステップＳＴ１８においては、設定された複数の画像処理条件に対応する条件で画像読み取りを実行し、読取画像データを生成する。続いて、ステップＳＴ１９へ移行する。ステップＳＴ１９においては、１回の読み取り（ステップＳＴ１８）により生成された１つの読取画像データに対して、複数画像処理条件にて画像処理を施し、複数の転送用画像データを生成し、記憶する。画像処理は、画像読取部７及び／又は画像処理回路１２において実行する。複数の画像処理は、並列又は順次実行する。生成した転送用画像データは、画像処理条件を属性データとして、ＤＲＡＭ６にファイルとして記憶する。属性データ（画像処理条件）は、複合機及び／又はＰＣの表示部で表示可能である。次に、ステップＳＴ２２へ移行する。
【００３６】
ステップＳＴ２０においては、設定された画像処理条件にて画像読み取りを実行する。ここでは、画像処理条件が１つしか設定されていないので、画像読み取りは１回のみ行う。次に、ステップＳＴ２１へ移行する。
【００３７】
ステップＳＴ２１においては、設定された画像処理条件にて画像処理を施し、転送用画像データを生成し、記憶する。ここでは、画像処理条件が１つしか設定されていないので、転送用画像データは１つだけ生成し、記憶される。複数生成・記憶される場合と同様に、属性データとして画像処理条件を付けて記憶される。次に、ステップＳＴ２２へ移行する。
【００３８】
ステップＳＴ２２においては、記憶している転送用画像データをＰＣに転送する。ＤＲＡＭ６に記憶している転送用画像データのファイルを、ＬＡＮ、ＵＳＢ、パラレルＩ／Ｆ等の所定のデータ転送Ｉ／Ｆを介してＰＣに転送する。属性データである画像処理条件とともに画像データを転送する。また、属性データの内容は、ＰＣの表示部において表示される。属性データは、画像処理条件に加えてデータサイズ情報（データ容量）を含む。
【００３９】
なお、上記実施形態において、複数の画像処理条件で同一原稿を読み取り、画像メモリ６に記憶する際には、複数の画像データにそれぞれファイル名を付与しておくと良い。この場合、各ファイルが同一原稿を読み取って得たものであることが認識できるようなファイル名であると良い。具体的に、例えば連番付与（数字又はアルファベットを含むファイル名とし、数字部分又はアルファベット部分に対して、条件毎に順次連続する数字又はアルファベットを付与する）や枝番付与（枝番を含むファイル名とし、枝番部分に対して条件毎に順次連続する数字又はアルファベットを付与する）を行う。
【００４０】
また、上記実施形態では、画像処理条件は、図２に例示する３つの画像処理条件よりなる１組のみをあげて説明したが、他の実施形態として、この組み合わせを例えば図５に示すように「スキャン条件１」という名称で登録するとともに、他の異なる複数の画像処理条件の例えばＮｏ４、Ｎｏ５、Ｎｏ６の３つの画像処理条件よりなる組み合せ、及び例えばＮｏ７、Ｎｏ８、Ｎｏ９の３つの画像処理条件よりなる組み合わせを、それぞれ「スキャン条件２」、「スキャン条件３」という名称で登録することもできる。
【００４１】
そして、ネットワークスキャンを実行する際、原稿をセットして、例えば「スキャン条件１」を選択して、スタート指示を行うと、図４で説明したのと同様、Ｎｏ１〜Ｎｏ３のそれぞれの条件で３回スキャンを行い、３つのファイルを生成し、記憶する。この場合、スキャン条件１、スキャン条件２、スキャン条件３を一括指定することもできる。このように、予め複数のグループを登録しておき、ネットワークスキャンを実行する際、登録されているグループの中から１又は複数のグループを選択できるようにしても良い。
【００４２】
また、上記各実施形態において、スキャンを３回行う場合において、ＦＢＳ読み取りで、複数枚の原稿を連続的に読み取る場合には、ページ毎にスキャン回数ずつ読み取る。つまり、ページ１の画像処理条件１→画像処理条件２→画像処理条件３、ページ２の画像処理条件１→画像処理条件２→画像処理条件３、……の順で読み取る。
【００４３】
ＡＤＦ読み取りで、複数枚の原稿を連続的に読み取る場合には、スキャンする回数だけユーザが原稿をセットし直すことになる。もっとも、読み取り後、原稿を自動的に供給位置に戻せる装置においては、セットし直す必要はない。
【００４４】
また、画像処理条件間の相違点によっては、１回だけスキャンし、画像処理のみを切り替えることにより、複数の画像処理条件に対応する複数のファイル（転送用画像データ）を生成し、記憶することもできる。例えば、解像度・拡大率が異なる場合のようにメカ制御（キャリッジ速度等）が異なる場合や、ページメモリより上流にある処理を切り替える場合には、複数回のスキャンが必要となるが、ページメモリより下流にある処理のみを切り替える場合には、１回のスキャンのみで複数のファイルを生成できる。ここで言うページメモリとは、画像読み取りを行って得た読取画像データを１ページ分揃った状態で記憶するメモリを言う。また、ページメモリより下流にある具体的処理は、構成により異なるが、例えば「色調整」、「出力色空間変換（ＣＭＹＫ化）」、「圧縮」、「平滑化／鮮鋭化」（コントラスト補正）」等がある。図２の例では、条件１〜３で全て解像度が異なるため、各条件についてそれぞれ画像読み取りが必要となる。図２の例において、条件１〜３で圧縮率のみが異なる場合には、１回の画像読み取りで得た読取画像データを１ページ分ページメモリに格納した後、その読取画像データに対して異なる圧縮処理を施すことで３つの転送用画像データを生成することができる。すなわち、複数の条件間で圧縮率のみが異なる場合には、複数回の画像読み取りを必要としない。また、コントラスト補正のみが異なる場合にも同様であり、複数回の画像読み取りを行うことなく、コントラスト補正有りの転送用画像データとコントラスト補正無しの転送用画像データとを生成することができる。
【図面の簡単な説明】
【００４５】
【図１】この発明が実施されるカラー複合機の構成を示すブロック図である。
【図２】同実施形態カラー複合機の画像処理条件テーブルの記憶内容の一例を示す図である。
【図３】同実施形態カラー複合機の画像処理条件テーブルの設定登録処理を説明するフロー図である。
【図４】同実施形態カラー複合機のネットワークスキャン処理を説明するフロー図である。
【図５】他の実施形態カラー複合機の画像処理条件テーブルの記憶内容の一例を示す図である。
【符号の説明】
【００４６】
１      ＭＰＵ
２      ＮＣＵ
３      ＭＯＤＥＭ
４      ＲＯＭ
５      ＲＡＭ
５ａ    画像処理条件テーブル
６      ＤＲＡＭ（画像メモリ）
７      画像読取部
８      読取／通信用ＣＯＤＥＣ
９      表示部
１０    操作部
１１    プリンタ用ＣＯＤＥＣ
１２    画像処理回路
１３    ページメモリ
１４    プリンタ
１５    ＬＡＮＩ／Ｆ
１６    バス
１７    公衆電話回線
１８    ＬＡＮ
【図１】
2005142987.tif 000003
【図２】
2005142987.tif 000004
【図３】
2005142987.tif 000005
【図４】
2005142987.tif 000006
【図５】
2005142987.tif 000007